(57)【要約】【課題】  抗酸化、消臭機能を有するビタミンＣ成分芳香剤を放散する扇風機を提供する。【解決手段】  モータを内蔵するヘッド部が設けられる扇風機本体１０を有し、該ヘッド部の外側にモータによって回転可能な羽根１１が設けられると共に、該羽根１１の外側に前カバー１３と後カバー１４からなる網カバー１２が設けられ、該前カバー１３の中央に取付孔１３１が形成され、該取付孔１３１にカバー板１６が設けられ、前記カバー板１６の内側には、表面部に複数の通気孔が形成されると共に、内部にビタミンＣ成分芳香剤２３が収納された収容部材２０が設けられた構成とした。【選択図】  図２
0003111941.tif 000002
【実用新案登録請求の範囲】
【請求項１】
モータを内蔵するヘッド部が設けられる扇風機本体を有し、該ヘッド部の外側にモータによって回転可能な羽根が設けられると共に、該羽根の外側に前カバーと後カバーからなる網カバーが設けられ、該前カバーの中央に取付孔が形成され、該取付孔にカバー板が設けられ、前記カバー板の内側には、表面部に複数の通気孔が形成されると共に、内部にビタミンＣ成分芳香剤が収納された収容部材が配設されたことを特徴とするビタミンＣ成分芳香剤を放散する扇風機。
【請求項２】
前記カバー板の内側の中央に中空ロッドが設けられ、収容部材の中央に該中空ロッドに対する位置決め孔が形成され、該中空ロッドに固定部材が設けられることにより、収容部材を中空ロッドに設置することを特徴とする請求項１に記載のビタミンＣ成分芳香剤を放散する扇風機。
【請求項３】
前記前カバーの取付孔の周縁に係合孔を有するリング縁が設けられ、前記カバー板の周縁に該リング縁の係合孔と係合する係合フックが設けられることを特徴とする請求項１又は２に記載のビタミンＣ成分芳香剤を放散する扇風機。
【考案の詳細な説明】
【技術分野】
【０００１】
本考案は、特に、抗酸化、消臭機能を有するビタミンＣ成分芳香剤を放散する扇風機に関するものである。
【背景技術】
【０００２】
従来の扇風機は、上部のヘッド部に回転可能な羽根が設けられ、又、使用者の安全を守るために、該ヘッド部に羽根を被包する網カバーが設けられる。
図４に示すように、従来の扇風機のヘッド部に設けられる網カバー４０は、ヘッド部に設けられる後カバー４１と、該後カバー４１と結合される前カバー４２と、該前カバー４２に設けられるカバー板５０とを有し、該前カバー４２の周縁に後カバー４１と結合するため係合縁４３が設けられると共に、中央に取付孔４２１が形成され、該取付孔４２１の周縁に係合孔４２３を有するリング縁４２２が設けられ、前記カバー板５０にリング縁４２２の係合孔４２３と対応する係合フック５１が設けられることにより、カバー板５０を取付孔４２１に設置する構成である。
【考案の開示】
【考案が解決しようとする課題】
【０００３】
しかしながら、従来の扇風機の網カバーは、単に使用者の安全を守る機能しかなく、他の機能、例えばビタミンＣ成分やビタミンＣ成分を含む香りを放散するなどの機能を有しない。故に、従来の扇風機は単に送風機能しか有しないため、実用性に優れているとは言えない。
【０００４】
そこで、案出されたのが本考案であって、抗酸化、消臭機能を有するビタミンＣ成分芳香剤を放散する扇風機を提供することを目的としている。
【課題を解決するための手段】
【０００５】
本願のビタミンＣ成分芳香剤を放散する扇風機にかかる請求項１の考案は、モータを内蔵するヘッド部が設けられる扇風機本体を有し、該ヘッド部の外側にモータによって回転可能な羽根が設けられると共に、該羽根の外側に前カバーと後カバーからなる網カバーが設けられ、該前カバーの中央に取付孔が形成され、該取付孔にカバー板が設けられ、前記カバー板の内側には、表面部に複数の通気孔が形成されると共に、内部にビタミンＣ成分芳香剤が収納された収容部材が配設されたことを特徴とする。
【０００６】
請求項２の考案は、請求項１に記載のビタミンＣ成分芳香剤を放散する扇風機において、前記カバー板の内側の中央に中空ロッドが設けられ、収容部材の中央に該中空ロッドに対する位置決め孔が形成され、該中空ロッドに固定部材が設けられることにより、収容部材を中空ロッドに設置することを特徴とする。
【０００７】
請求項３の考案は、請求項１または２に記載のビタミンＣ成分芳香剤を放散する扇風機において、前記前カバーの取付孔の周縁に係合孔を有するリング縁が設けられ、前記カバー板の周縁に該リング縁の係合孔と係合する係合フックが設けられることを特徴とする。
【考案の効果】
【０００８】
上述したように、本考案の扇風機には、通常の送風機能のほかに、ビタミンＣ成分芳香剤を放散する機能を有するので、収容部材からビタミンＣ成分芳香剤を放散することができる。
前記ビタミンＣ成分芳香剤を放散することにより、次に示すような効果を提供できる。
１．室内のオゾン濃度が高くなることにより起きる人体の肺組織への悪影響を防ぐことができる。
２．室内の悪臭を除去することができる。
３．抗酸化作用により人体によい影響を与えることができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１０】
図１は本考案に係るビタミンＣ成分芳香剤を放散する扇風機の第１実施例を示す斜視図であり、図２は本考案に係るビタミンＣ成分芳香剤を放散する扇風機の部分分解斜視図であり、図３は本考案に係るビタミンＣ成分芳香剤を放散する扇風機の部分断面図である。
【００１１】
図１乃至図３に示すように、本考案に係るビタミンＣ成分芳香剤を放散する扇風機は、モータを内蔵するヘッド部が設けられる扇風機本体１０を有し、該ヘッド部の外側にモータによって回転可能な羽根１１が設けられると共に、該羽根１１の外側に前カバー１３と後カバー１４からなる網カバー１２が設けられ、該前カバー１３と後カバー１４が係合縁１５によって互いに結合されている。
該前カバー１３の中央には円形の取付孔１３１が形成され、該取付孔１３１の周縁に係合孔１３３を有するリング縁１３２が設けられ、該取付孔１３１に円形のカバー板１６が設けられ、該カバー板１６の周縁に係合孔１３３と係合される係合フック１６１が設けられると共に、中央に取付孔１３１を貫通する中空ロッド１６２が設けられ、該中空ロッド１６２の一端に螺合孔１６３が形成されている。
【００１２】
前記カバー板１６の内側には、表面に複数の通気孔が形成される収容部材２０が装着される。該収容部材２０の中央には中空ロッド１６２に対応する位置決め孔２１が形成されると共に、内部に収容空間２２が形成され、該収容空間２２に例えばビタミンＣ（Ｌ−アスコルビンサン）成分芳香剤２３が収納される。また、前記位置決め孔２１の外側には開口の大きい固定孔２１１が形成されている。
前記ビタミンＣ（Ｌ−アスコルビンサン）成分芳香剤２３は、ビタミンＣ剤を単独で、或いはビタミンＣ成分と他の芳香剤成分を混合して固形化したビタミンＣ（Ｌ−アスコルビンサン）成分混合芳香剤であっても良いことは勿論である。
【００１３】
前記中空ロッド１６２の螺合孔１６３には、一端にヘッド３１を有するネジなどの固定部材３０が螺設され、該ヘッド３１は固定孔２１１に位置決めされることにより、収容部材２０を中空ロッド１６２に取り付けるようにしている。
【００１４】
本考案に係るビタミンＣ成分芳香剤を放散する扇風機を実施する時は、図３に示すように、収容部材２０内のビタミンＣ成分芳香剤２３が収容部材２０から外部へ放散される。
【００１５】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【産業上の利用可能性】
【００１６】
本考案は上記の構成を有し、上述したように、本考案の扇風機には、通常の機能のほかに、ビタミンＣ成分芳香剤を放散する機能を有するので、収容部材からビタミンＣ成分芳香剤を放散することができる。
前記ビタミンＣ成分芳香剤を放散することにより、次に示すような効果を提供できる。
１．室内のオゾン濃度が高くなることにより起きる人体の肺組織への悪影響を防ぐことができる。
２．室内の悪臭を除去することができる。
３．抗酸化作用により人体によい影響を与えることができる。
【図面の簡単な説明】
【００１７】
【図１】本考案に係るビタミンＣ成分を放散する扇風機の第１実施例を示す斜視図である。
【図２】本考案に係るビタミンＣ成分を放散する扇風機の図１の部分分解斜視図である。
【図３】本考案に係るビタミンＣ成分を放散する扇風機の図１の部分断面図である。
【図４】従来の扇風機のヘッド部の網カバーを示す部分分解斜視図である。
【符号の説明】
【００１８】
１０        扇風機本体
１１        羽根
１２        網カバー
１３        前カバー
１３１      取付孔
１３２      リング縁
１３３      係合孔
１４        後カバー
１５        係合縁
１６        カバー板
１６１      係合フック
１６２      中空ロッド
１６３      螺合孔
２０        収容部材
２１        位置決め孔
２１１      固定孔
２２        収容空間
２３        ビタミンC成分芳香剤
３０        固定部材
３１        ヘッド
４０        網カバー
４１        後カバー
４２        前カバー
４２１      取付孔
４２２      リング縁
４２３      係合孔
４３        係合縁
５０        カバー板
５１        係合フック
【図１】
0003111941.tif 000003
【図２】
0003111941.tif 000004
【図３】
0003111941.tif 000005
【図４】
0003111941.tif 000006